(57)【要約】【課題】複雑なリンク機構を要することなく、乗込台からの移動体の離脱を防止することができる段差解消装置の提供。【解決手段】車椅子等の車輪を有する移動体を搭載可能であって、昇降可能な乗込台１と、この乗込台１に設けられ、乗込台１からの移動体の離脱を防止する離脱防止手段とを備え、乗込台１を上昇させることにより、所定の段差上段１１と乗込台１との間で移動体を搬送可能な段差解消装置において、乗込台１に収納され、所定の段差上段１１まで引き出し可能で、かつ移動体の通過を可能にさせる渡し板８を備えるとともに、離脱防止装置が、乗込台１に設けられ、起伏可能な可動板２と、乗込台１の上昇に伴って可動板２を乗込台１から起立させる方向に回動させ、渡し板８の引き出し操作に伴って可動板２を伏せる方向に回動させるピニオン７等のギヤ機構とを含む構成にしてある。【選択図】図７
2007301233.tif 000002
【特許請求の範囲】
【請求項１】
車輪を有する移動体を搭載可能であって、昇降可能な乗込台と、この乗込台に設けられ、前記乗込台からの前記移動体の離脱を防止する離脱防止手段とを備え、前記乗込台を上昇させることにより、所定の段差上段と前記乗込台との間で前記移動体を搬送可能な段差解消装置において、
前記乗込台に収納され、前記所定の段差上段まで引き出し可能で、かつ前記移動体の通過を可能にさせる渡し板を備えるとともに、
前記離脱防止装置が、
前記乗込台に設けられ、起伏可能な可動板と、
前記乗込台の上昇に伴って前記可動板を前記乗込台から起立させる方向に回動させ、前記渡し板の引き出し操作に伴って前記可動板を伏せる方向に回動させるギヤ機構とを含むことを特徴とする段差解消装置。
【発明の詳細な説明】
【技術分野】
【０００１】
本発明は、段差を有する箇所に活用され、車輪を有する移動体を搭載可能であって、昇降可能な乗込台を備えた段差解消装置に関する。
【背景技術】
【０００２】
この種の従来技術として、特許文献１に示されるものがある。この従来技術は、車椅子等の車輪を有する移動体を搭載可能であって昇降可能な乗込台と、この乗込台に設けられ、移動体の乗込台からの離脱を防止する離脱防止手段とを備えた構成になっている。離脱防止手段は、例えばレバー操作を伴う脱輪防止手段から成り、あるいは乗込台の昇降に伴ってリンク機構を介して乗込台に搭載された移動体の後退を防止する後退防止手段から成っている。
【特許文献１】実用新案登録第３１０４２０１号公報
【発明の開示】
【発明が解決しようとする課題】
【０００３】
上述した従来技術に備えられる離脱防止手段が、脱輪防止手段から成るものは、手によるレバー操作を要するものであることから、レバー操作を忘れた場合には乗込台に搭載された移動体が脱輪してしまう虞がある。また、離脱防止手段が後退防止手段から成るものは、リンク機構を要することから構造が複雑になり、製作費が高くなってしまう懸念がある。
【０００４】
本発明は、上述した従来技術における実状からなされたもので、その目的は、複雑なリンク機構を要することなく、乗込台からの移動体の離脱を防止することができる段差解消装置を提供することにある。
【課題を解決するための手段】
【０００５】
この目的を達成するために、本発明は、車輪を有する移動体を搭載可能であって、昇降可能な乗込台と、この乗込台に設けられ、前記乗込台からの前記移動体の離脱を防止する離脱防止手段とを備え、前記乗込台を上昇させることにより、所定の段差上段と前記乗込台との間で前記移動体を搬送可能な段差解消装置において、前記乗込台に収納され、前記所定の段差上段まで引き出し可能で、かつ前記移動体の通過を可能にさせる渡し板を備えるとともに、前記離脱防止装置が、前記乗込台に設けられ、起伏可能な可動板と、前記乗込台の上昇に伴って前記可動板を前記乗込台から起立させる方向に回動させ、前記渡し板の引き出し操作に伴って前記可動板を伏せる方向に回動させるギヤ機構とを含むことを特徴としている。
【０００６】
このように構成した本発明は、乗込台を上昇させるとギヤ機構を介して可動板が乗込台から起立するので、この可動板によって乗込台に搭載された移動体の脱輪、すなわち乗込台からの離脱を防止できる。また、例えば乗込台から所定の段差上段へ乗込台に搭載された移動体を搬送するために、渡し板が乗込台から引き出されると、この渡し板の引き出し操作に伴ってギヤ機構を介して、それまで起立していた可動板が伏せる方向に回動する。これにより、乗込台から渡し板上を通って移動体を所定の段差上段へ搬送することができる。
【０００７】
このように本発明は、可動板とギヤ機構を設けるだけであり、複雑なリンク機構を要することなく、乗込台からの移動体の離脱を可動板によって防止することができる。
【発明の効果】
【０００８】
本発明は、乗込台からの移動体の離脱を防止する離脱防止手段が、乗込台に設けられ、起伏可能な可動板と、この可動板を乗込台の上昇動作、及び渡し板の引き出し操作に応じて起伏させるギヤ機構とを含む構成にしてあることから、従来におけるような複雑なリンク機構を要することなく、移動体の乗込台からの離脱を防止することができる。これにより、従来に比べて構造が簡単になり、製作費を安くすることができ、優れた安全性を確保することができる。また、構造が簡単になることから、この段差解消装置の保守管理も容易となる。
【発明を実施するための最良の形態】
【０００９】
以下，本発明に係る段差解消装置を実施するための最良の形態を図に基づいて説明する。
【００１０】
図１は本発明に係る段差解消装置の一実施形態を示す斜視図、図２は本実施形態において、乗込台を上昇させた状態を示す斜視図、図３は本実施形態において、乗込台から渡し板を引き出して所定の段差上段に懸架させた状態を示す斜視図である。図４は図１のＡ方向から見た可動板とアームとを示す図、図５は図４のＤ方向から見た図である。図６は図２のＢ方向から見た可動板とアームとを示す図、図７は図６のＥ方向から見た図である。図８は図２のＢ方向から見た可動板とアームと渡し板とを示す図、図９は図８のＦ方向から見た図である。図１０は図３のＣ方向から見た可動板とアームと渡し板を示す図、図１１は図１０のＧ方向から見た図である。
【００１１】
図１，２に示すように、本実施形態に係る段差解消装置は、車輪を有する移動体、例えば車椅子が搭載可能であって、昇降可能な乗込台１と、この乗込台１を昇降させる昇降装置１０とを備えている。
【００１２】
また、図３に示すように、乗込台１に収納され、所定の段差上段１１上まで引き出し可能で、かつ上述の車椅子の通過を可能にさせる渡し板８を備えている。
【００１３】
図１１に示すように、渡し板８の端部にはラック９を一体に設けてある。このラック９は、乗込台１に設けられて起伏可能な可動板２に一体に取り付けたピニオン７に、選択的に噛合可能となっている。
【００１４】
可動体２は、図１，４，５に示すように、乗込台１が最下位置に保持されているときには、乗込台１の搭載面３と面一となるように配置され、図２，６，７に示すように、乗込台１が上昇すると乗込台１から起立する方向に回動し、図３，１０，１１に示すように、乗込台１から渡し板８が引き出される操作に伴って伏せる方向に回動し、渡し板８が限界まで引き出されて所定の段差上段１１に懸架された状態では、乗込台１の搭載面３と面一となるように配置されている。
【００１５】
また、本実施形態は、図４，５に示すように下端に、乗込台１内に設けたブラケットの上面を転動可能な転車５を取り付けたアーム４を備えている。このアーム４の上端にはピニオン６と常時噛み合うスプロケット６を一体的に取り付けてある。このアーム４の上端は乗込台１の側板に揺動可能に支持させてある。
【００１６】
上述したスプロケット６、ピニオン７、及びラック９は、乗込台１の上昇に伴って可動板２を乗込台１から起立する方向に回動させ、渡し板８の引き出し操作に伴って可動板２を伏せる方向に回動させるギヤ機構を構成している。
【００１７】
本実施形態は、乗込台１の搭載面３からの車椅子の離脱を防止する離脱防止手段が、上述した可動板２と、上述したギヤ機構を含む構成にしてある。
【００１８】
このように構成した本実施形態は、車椅子の搬送に際しては、図１に示すように、所定の段差上段１１を形成する階段の前に、最下位置に保持させた状態において、例えば図示しない車椅子を乗込台１の搭載面３に搭載し、図２に示すように、昇降装置１０によって乗込台１を上昇させる。この乗込台１の上昇にともなって、図６，７に示すように、アーム４の自重による回動と一体にスプロケット６が回動し、このスプロケット６と噛み合うピニオン７が回動する。
【００１９】
このピニオン７の回動により、可動板２が起立する方向に回動し、この可動板２が乗込台１の搭載面３に対して立設された状態に保持される。したがって、この立設された可動板２によって、乗込台１上の図示しない車椅子の脱輪が防止される。このとき、仮に車椅子の車輪が可動板２に当たることがあっても、アーム４の末端に設けた転車５が乗込台１内に形成したブラケットの上面に接触していることから、可動板２に加えられる力によってはスプロケット６が回動せず、したがって、可動板２は立設されたままの状態に保たれる。
【００２０】
図３に示すように、乗込台１を所定の高さ位置まで上昇させた後、この乗込台１に収納されていた渡し板８を引き出し、この渡し板８を所定の段差上段１１上に懸架させることが行なわれる。この間、渡し板８が引き出されたとき、図１１に示すように、渡し板８に取り付けたラック９がピニオン７に噛み合い、ラック９の移動に伴ってピニオン７が上述とは逆方向に回動する。これによって、可動板２が伏せる方向に回動する。渡し板８が限界まで引き出された状態では、可動板２と乗込台１の搭載面３とは面一となる。
【００２１】
したがって、乗込台１に搭載した図示しない車椅子を、渡し板８を介して所定の段差上段１１まで搬送させることができる。
【００２２】
また、所定の段差上段１１に載置された図示しない車椅子を、乗込台１に乗せ、階段下の床面まで降ろす場合は、上述と逆の動作が行なわれる。
【００２３】
すなわち、乗込台１上に車椅子を乗せた後、渡し板８を乗込台１に収納させると、渡し板８に取り付けたラック９の移動に伴って可動板２が起立し、これによって車椅子の脱輪が防止される。乗込台１を降下させると、アーム４の回動と一体に回動するスプロケット６と、ピニオン７の噛み合いを介して、可動板２は伏せる方向に回動する。図１に示す最下位置では、乗込台１の搭載面３と可動板２とが面一となる。したがって、乗込台１上の図示しない車椅子を、階段下の床面まで搬送させることができる。
【００２４】
このように構成した本実施形態は、上述のように、車椅子の乗込台１からの離脱、すなわち脱輪を防止する離脱防止手段が、乗込台１に設けられ、起伏可能な可動板２と、この可動板２を乗込台１の昇降操作、及び渡し板８の引き出し、収納操作に応じて起伏させるスプロケット６、ピニオン７、ラック９を有するギヤ機構とを含む構成にしてあることから、複雑なリンク機構を要することなく、乗込台１からの車椅子の離脱を防ぐことができる。これにより、構造が簡単になり、製作費を安くすることができるとともに、優れた安全性を確保することができる。また、構造が簡単になることから、この本実施形態に係る段差解消装置の保守管理作業も容易となる。
【図面の簡単な説明】
【００２５】
【図１】本発明に係る段差解消装置の一実施形態を示す斜視図である。
【図２】本実施形態において、乗込台を上昇させた状態を示す斜視図である。
【図３】本実施形態において、乗込台から渡し板を引き出して所定の段差上段に懸架させた状態を示す斜視図である。
【図４】図１のＡ方向から見た可動板とアームとを示す図である。
【図５】図４のＤ方向から見た図である。
【図６】図２のＢ方向から見た可動板とアームとを示す図である。
【図７】図６のＥ方向から見た図である。
【図８】図２のＢ方向から見た可動板とアームと渡し板とを示す図である。
【図９】図８のＦ方向から見た図である。
【図１０】図３のＣ方向から見た可動板とアームと渡し板を示す図である。
【図１１】図１０のＧ方向から見た図である。
【符号の説明】
【００２６】
１    乗込台
２    可動板（離脱防止手段）
３    搭載面
４    アーム
５    転車
６    スプロケット（ギヤ機構）［離脱防止手段］
７    ピニオン（ギヤ機構）［離脱防止手段］
８    渡し板
９    ラック（ギヤ機構）［離脱防止手段］
１０  昇降装置
１１  所定の段差上段
【図１】
2007301233.tif 000003
【図２】
2007301233.tif 000004
【図３】
2007301233.tif 000005
【図４】
2007301233.tif 000006
【図５】
2007301233.tif 000007
【図６】
2007301233.tif 000008
【図７】
2007301233.tif 000009
【図８】
2007301233.tif 000010
【図９】
2007301233.tif 000011
【図１０】
2007301233.tif 000012
【図１１】
2007301233.tif 000013